(57)【要約】【課題】太陽光発電モジュールに堆積物が存在しても、太陽光発電モジュールの故障や劣化の判定を高精度化する太陽光発電システム及びこれが備える日射計装置を提供する。【解決手段】太陽光発電システム１は、太陽光発電モジュール２と日射計装置３を備える。日射計装置３は、太陽光発電モジュール２の近傍に設置される。日射計装置３は、日射計３１と透光板３２を備える。透光板３２は、太陽光発電モジュール２の表面を構成する透光板２２と近似した透光性を有する。この透光板３２は、日射計３１に覆い被さって配置される。日射計装置３には、太陽光発電モジュール２と同じように堆積物５が堆積する。【選択図】図５
2016118521.tif 000002
【特許請求の範囲】
【請求項１】
セルと当該セルを被覆する透光板により構成され、架台により支持される太陽光発電モジュールの近傍に設置され、
日射計と、
前記透光板と近似した透光性を有し、前記日射計に覆い被さって配置される日射計側透光板と、
を備えること、
を特徴とする日射計装置。
【請求項２】
前記日射計、及び前記太陽光発電モジュールと同じ向き、同じ高さ、同じ傾斜で前記日射計側透光板を支持する架台を更に備えること、
を特徴とする請求項１記載の日射計装置。
【請求項３】
前記太陽光発電モジュールは、前記透光板の傾斜下端に下枠を嵌め込んでなり、
前記日射計側透光板は、傾斜下端に下枠が嵌め込まれ、前記透光板と傾斜方向の長さが同長であり、
前記日射計は、前記下枠付近の前記日射計側透光板の直下に配置されること、
を特徴とする請求項１記載の日射計装置。
【請求項４】
１面が前記日射計側透光板により成る箱体を備え、
前記日射計は、前記箱体の内部に配置されること、
を特徴とする請求項１記載の日射計装置。
【請求項５】
前記箱体は、前記日射計側透光板以外の面が遮光板により成り、又は遮光塗料で塗装されること、
を特徴とする請求項４記載の日射計装置。
【請求項６】
前記箱体は、一対の対向側面に開口を有すること、
を特徴とする請求項４記載の日射計装置。
【請求項７】
前記箱体は、環状チューブ形状を有し、一部が地中に埋設されること、
を特徴とする請求項４記載の日射計装置。
【請求項８】
前記太陽光発電モジュールは、セルを封止する充填材を備え、
前記日射計側透光板と前記日射計との間は、前記充填材と近似する透光性を有する充填材で充填されること、
を特徴とする請求項１記載の日射計装置。
【請求項９】
実際の日射量情報をネットワークを介して受信する受信部と、
前記日射計の日射量情報と前記受信部が受信した日射量情報とを比較する比較部と、
前記日射計の日射量情報と前記受信部が受信した日射量情報の差分の程度に応じて、前記太陽光発電モジュールへの堆積物を判定する判定部と、
を備えること、
を特徴とする請求項１記載の日射計装置。
【請求項１０】
第１及び第２の前記日射計を備え、
前記第１の日射計は、前記日射計側透光板により覆い被せられ、
前記第２の日射計は、前記日射計側透光板から露出して配置され、
前記第１の日射計の日射量情報と前記第２の日射計の日射量情報とを比較する比較部と、
前記第１の日射計の日射量情報と前記第２の日射計の日射量情報の差分の程度に応じて、前記太陽光発電モジュールへの堆積物を判定する判定部と、
を備えること、
を特徴とする請求項１記載の日射計装置。
【請求項１１】
前記太陽光発電モジュールが出力する電気に関する物理量を計測する計測計と、
前記計測計が計測した物理量に基づき、前記太陽光発電モジュール内のセルが受光した日射量情報を算出する換算部と、
前記換算部で算出された日射量情報と前記日射計の日射量情報を比較する比較部と、
前記換算部で算出された日射量情報と前記日射計の日射量情報の差分の程度に応じて、前記太陽光発電モジュールの劣化又は故障を判定する判定部と、
を備えること、
を特徴とする請求項１記載の日射計装置。
【請求項１２】
前記太陽光発電モジュールが出力する電気に関する物理量を計測する計測計と、
前記日射計の日射情報に基づき、前記太陽光発電モジュールが前記日射情報の示す日射を受けたと仮定して出力する電気に関する前記計測計と同じ単位の物理量を算出する換算部と、
前記換算部で算出された物理量と前記計測計が計測した物理量を比較する比較部と、
前記換算部で算出された発電量と前記計測計が計測した発電量の差分の程度に応じて、前記太陽光発電モジュールの劣化又は故障を判定する判定部と、
を備えること、
を特徴とする請求項１記載の日射計装置。
【請求項１３】
前記物理量は、発電量又は電流であること、
を特徴とする請求項１１又は１２に記載の日射計装置。
【請求項１４】
請求項１乃至１３の何れかに記載の日射計装置と、
前記太陽光発電モジュールと、
を備えること、
を特徴とする太陽光発電システム。
【発明の詳細な説明】
【技術分野】
【０００１】
本実施形態は、太陽光発電モジュールの劣化又は故障を判定する太陽光発電システム及び当該システムが備える日照計装置に関する。
【背景技術】
【０００２】
地球温暖化、化石燃料の枯渇が問題となっており、地球環境とエネルギーに対する関心が急速に高まっている。このような状況の下、環境負荷の少ないエネルギー源として太陽光が注目されており、太陽光を利用したメガソーラー発電所が注目を集めている。
【０００３】
メガソーラー発電所は、光電効果を用いて太陽光を電力に変換する太陽光発電モジュールを大地に大量に設置した発電所である。太陽光発電モジュールは、セルを直列及び並列に二次元アレイ状に並べた板状のパネルを枠で四方を囲んで成る。
【０００４】
メガソーラー発電所は、数十年以上の運用が想定される。そのため、太陽光発電モジュールは、十分な耐用年数を有するように設計されているが、絶えず雨風、降雪、塵埃、過酷な寒暖差、予期せぬ飛来物等に晒されれば、大量のモジュールの幾つかは故障や劣化や安全性等を考慮して交換が必要となる場合がある。
【０００５】
そこで、太陽光発電モジュールが発電する発電量を監視し、理想的な出力との差異を基にして太陽光発電モジュールの故障や劣化を判定する試みがなされている（例えば、特許文献１参照）。太陽光発電モジュールとともに日射計を設置し、日射計が計測した日射量から太陽光発電モジュールに劣化や故障がないことを前提とした発電量を計算する。そして、太陽光発電モジュールの実際の発電量と日射計の日射量を基に計算した発電量を比較し、比較結果から太陽光発電モジュールの劣化や故障を判定する。
【先行技術文献】
【特許文献】
【０００６】
【特許文献１】特開２０１３−０８４７５９号公報
【発明の概要】
【発明が解決しようとする課題】
【０００７】
従来の故障や劣化の判定は、日射計が計測する日射量を太陽光発電モジュールのセルに届いているとみなしたものである。しかしながら、太陽光発電モジュールは、屋外に設置する機器であって、日射計が計測する日射量を絶えず受光できているとは限らない。
【０００８】
太陽光発電モジュールの設置環境では、土埃が舞うこともあれば、降雪もあり、鳥類も木々も生息している。太陽光発電モジュールには、埃、土、落葉、雪、又は鳥の糞が堆積物となって、表面に堆積し、セルの受光を阻害することもある。そうすると、日射計が計測する日射量を太陽光発電モジュールのセルに届いているとみなしても、太陽光発電モジュールの故障や劣化判定は精度を欠くものとなってしまう。
【０００９】
日射計が計測する日射量を太陽光発電モジュールのセルに届いていると擬制するためには、メンテナンス員が太陽光発電モジュールを巡回し、太陽光発電モジュールの表面を清掃する必要があるが、メガソーラー発電所のように大規模化すると、太陽光発電モジュールの個数は膨大となり、メンテナンス員の清掃も後手に回ってしまい、そのような擬制を実効的とするには至らない。実効的とするには、大人数のメンテナンス員を要し、人件費も高騰を招いてしまう。
【００１０】
本実施形態は、上記のような状況に鑑みてなされたものであり、太陽光発電モジュールに堆積物が存在しても、太陽光発電モジュールの故障や劣化の判定を高精度化する太陽光発電システム及びこれが備える日射計装置を提供することを目的とする。
【課題を解決するための手段】
【００１１】
本実施形態の太陽光発電システムが備える日射計装置は、セルと当該セルを被覆する透光板により構成され、架台により支持される太陽光発電モジュールの近傍に設置され、日射計と、前記透光板と近似した透光性を有し、前記日射計に覆い被さって配置される日射計側透光板と、を備えること、を特徴とする。
【００１２】
前記太陽光発電モジュールと同じ向き、同じ高さ及び同じ傾斜で前記日射計と前記日射計側透光板を支持する架台を更に備えるようにしてもよい。また、前記太陽光発電モジュールは、前記透光板の傾斜下端に下枠を嵌め込んでなり、前記日射計側透光板は、傾斜下端に下枠が嵌め込まれ、前記透光板と傾斜方向の長さが同長であり、前記日射計は、前記下枠付近の前記日射計側透光板の直下に配置されるようにしてもよい。
【図面の簡単な説明】
【００１３】
【図１】第１の実施形態に係る太陽光発電システムの構成を示すブロック図である。
【図２】太陽光発電モジュールの構造を示す断面模式図である。
【図３】第１の実施形態に係る太陽光発電モジュールと日射計装置の外観を示す模式図である。
【図４】第１の実施形態に係る日射計装置の構成を示す側面図である。
【図５】太陽光発電モジュールと日射計装置の表面の状態を示す模式図である。
【図６】解析装置の概略構成を示すブロック図である。
【図７】解析装置が備えるコンピュータの機能構成を示すブロック図である。
【図８】第２の実施形態に係る太陽光発電システムの日射計装置の構成を示す模式図である。
【図９】第３の実施形態に係る太陽光発電システムの日射計装置の構成を示す模式図である。
【図１０】第４の実施形態に係る太陽光発電システムの日射計装置の配置を示す模式図である。
【図１１】第５の実施形態に係る太陽光発電システムの日射計装置の構成を示すブロック図である。
【図１２】第６の実施形態に係る太陽光発電システムの日射計装置の構成を示す側面図である。
【図１３】第７の実施形態に係る太陽光発電システムの解析装置の構成を示すブロック図である。
【発明を実施するための形態】
【００１４】
（第１の実施形態）
図１は、第１の実施形態に係る太陽光発電システムの構成を示すブロック図である。図１に示すように、太陽光発電システム１は、太陽光発電モジュール２と日射計装置３と解析装置４により構成される。太陽光発電モジュール２は、光電効果により太陽光エネルギーを電力に変換する発電機である。日射計装置３と解析装置４は、太陽光発電モジュール２を監視する監視装置である。
【００１５】
日射計装置３は、太陽光発電モジュール２の設置場所に降り注ぐ日射量を計測する。解析装置４は、太陽光発電モジュール２の発電量と日射量との関係を解析する。解析によって、太陽光発電モジュール２の気象以外の理由による出力低下を検知し、その出力低下の発生理由を判別し、出力低下事象の進行度合いを算定する。検知される出力低下事象は、太陽光発電モジュール２の劣化又は故障と堆積物５（図５参照）の堆積である。堆積物５は、太陽光発電モジュール２の受光を阻害する埃、土、落葉、雪、又は鳥の糞等である。
【００１６】
各構成の詳細は次の通りである。まず、図２に示すように、太陽光発電モジュール２は、アレイ状に並べた複数のセル２１を備える。セル２１は、単結晶シリコンや多結晶シリコン等の半導体ウェハの表裏面に電極を付設して構成される。セル２１は、太陽光発電モジュール２が所望の電流と電圧を得られるように複数が直列及び並列接続される。
【００１７】
セル２１の受光面はガラスや透明樹脂等の透光性を有する透光板２２で覆われ、セル２１の背面はバックシート２４が配置される。セル２１は透光板２２とバックシート２４で挟まれている。透光板２２とバックシート２４の間には、ＥＶＡ等の透光性を有する充填材２５が充填され、セル２１は、充填材２５で封止されている。セル２１を透光板２２とバックシート２４で挟んで構成されるパネルは、上枠、下枠２３及び側枠に分かれたコの字状の外枠によって四方が嵌め込まれて補強されている。
【００１８】
図３に示すように、この太陽光発電モジュール２は架台２６に支持されて屋外に配置される。架台２６は、太陽光発電モジュール２を所定方向に向け、所定角度で傾斜させつつ、所定の地上高で支持する。例えば、太陽光発電モジュール２は、太陽に向けて南向き仰角４０°に支持される。
【００１９】
日射計装置３は、図３又は４に示すように、日射計３１と透光板３２とを備える。日射計３１は、熱電素子や光電素子を有し、単位面積当たりの日射量（Ｗ／ｍ２）を計測する。日射計３１は、日射量情報Ｄ１０を信号に載せて出力する。透光板３２は、透光性を有するガラスや透明樹脂等であり、太陽光発電モジュール２の透光板２２と同一若しくは近似の透光性を有するのが望ましい。この透光板３２は、太陽側から日射計３１に覆い被さって配置される。すなわち、日射計３１と透光板３２との配置関係は、太陽光発電モジュール２におけるセル２１と透光板２２の配置関係を模擬している。
【００２０】
更に、日射計装置３は、日射計３１と透光板３２とを支持する架台３４を備える。架台３４は、太陽光発電モジュール２の配置を模擬し、日射計３１を太陽光発電モジュール２と同じ方向に向けつつ、同角度で傾斜させつつ、同じ地上高で支持する。例えば、日射計３１は、太陽に向けて南向き仰角４０°に支持される。日射計装置３は、日射計３１を太陽光発電モジュール２の間近になるように設置される。
【００２１】
このような日射計装置３は、太陽光発電モジュール２と同等に表面に堆積物５を堆積させることを目的とした構成である。すなわち、日射計装置３は、堆積物５によって受光が阻害され得るセル２１の受光環境を適宜模擬している。図５の（ａ）は、太陽光発電モジュール２の表面の状態を示し、（ｂ）は日射計装置３の表面の状態を示している。図５に示すように、日射計３１を透光板３２で覆う日射計装置３には、太陽光発電モジュール２と同じように透光板３２の表面に堆積物５が積もる。その堆積物５は、太陽光発電モジュール２の受光を阻害するように、日射計装置３の受光も阻害する。従って、日射計装置３の日射量情報Ｄ１０は、堆積物５が堆積した太陽光発電モジュール２のセル２１に到達する日射量に近似することになる。
【００２２】
また、太陽光発電モジュール２と日射計装置３は、同じ向き及び同じ高さに設置されることで、風に対する向き角が一致し、互いに他方を遮蔽することはない。従って、太陽光発電モジュール２と日射計装置３に積もる堆積物５の量は同等に近くなり、日射計装置３の日射量情報Ｄ１０は、堆積物５が堆積した太陽光発電モジュール２のセル２１に到達する日射量に更に近似することになる。
【００２３】
そのため、堆積物５が太陽光発電モジュール２の表面に一様に積もっているものとし、また太陽光発電モジュール２に劣化又は故障がないと仮定した上で、太陽光発電モジュール２の出力した発電量から単位面積当たりの日射量を計算すると、その計算結果は、実際に太陽光発電モジュール２に故障又は劣化がなければ、日射計装置３の計測した単位面積当たりの日射量と概略一致する。そして、一致したものの、日射計３１の日射量が実際の日射量より低い場合、実際との差分の程度に応じて堆積物５が堆積していると理解できる。また、不一致であれば、その差分の程度に応じて太陽光発電モジュール２の劣化が進行し、又は故障が深刻であると理解できる。
【００２４】
以上の故障や劣化と堆積物５の堆積との判別と、故障、劣化、又は堆積物５の進行度合いは、解析装置４によって導かれる。図６に示すように、解析装置４は、電力計４１とネットワーク接続機器４２とコンピュータ４３とを備えている。電力計４１は、太陽光発電モジュール２の発電量を計測して、発電量情報Ｄ２０を信号に載せて出力する。ネットワーク接続機器４２は、電力計４１と日射計装置３に信号線で接続され、太陽光発電モジュール２の発電量情報Ｄ２０と日射計装置３の日射量情報Ｄ１０をコンピュータ４３に中継する。ネットワーク接続機器４２とコンピュータ４３は、ネットワークＮ１を介して接続され、ネットワーク接続機器４２は、例えばＬＡＮ接続機器である。コンピュータ４３は、更にインターネット網Ｎ２に接続されている。
【００２５】
図７に示すように、コンピュータ４３は、メモリに記憶されたプログラムのＣＰＵによる実行により、コンピュータ４３内の周辺装置を含め、気象データ受信部４３１と換算部４３２と堆積判定用比較部４３３と劣化判定用比較部４３４と判定部４３５を備える。このコンピュータ４３は、太陽光発電モジュール２とは遠隔の監視室に設置され、メンテナンス員に利用される。
【００２６】
気象データ受信部４３１は、インターネット網Ｎ２を介して気象台等が収集した気象データＤ３０を受信する。気象データＤ３０は、太陽光発電モジュール２の設置地域の実際の日射量又は日射量を導くパラメータとなり得る雲量情報等である。気象データＤ３０が日射量を導くパラメータの場合、コンピュータ４３は実際の日射量を計算する実際日射量計算部４３６を備える。
【００２７】
換算部４３２は、メモリを含み構成され、太陽光発電モジュール２の性能諸元情報を記憶している。性能諸元情報は、日射量と発電量との理想関係を示し、例えば日射量ごとのＰ−Ｖ特性（電力―電圧特性）である。理想関係は、劣化又は故障がないことを前提とする。換算部４３２は、更にＣＰＵを含み構成され、例えば太陽光発電モジュール２がＭＰＰＴ（Ｍａｘｉｍｕｍ  Ｐｏｗｅｒ  Ｐｏｉｎｔ  Ｔｒａｃｋｉｎｇ）駆動しているとして、発電量情報Ｄ２０と頂点の位置が一致するＰ−Ｖ特性を探索し、探索されたＰ−Ｖ特性に対応する日射量情報Ｄ２１を特定する。
【００２８】
堆積判定用比較部４３３は、実際日射量情報４３６と日射計装置３の日射情報Ｄ１０を比較して差分を判定部４３５に出力する。判定部４３５は、差分がゼロの区分に属せば、堆積物５が無いことを示す情報をメンテナンス員のモニタやプリンタ等に出力する。判定部４３５は、差分がゼロの区分に属さなければ、差分が属する区分が示す堆積物レベルの情報をメンテナンス員のモニタやプリンタ等に出力する。尚、ゼロの区分は、誤差を考慮して幅を決定する。
【００２９】
劣化判定用比較部４３４は、日射計装置３の日射量情報Ｄ１０と太陽光発電モジュール２の発電量から導いた日射量情報Ｄ２１を比較して差分を判定部４３５に出力する。判定部４３５は、差分がゼロの区分に属せば、劣化又は故障が無いことを示す情報をメンテナンス員のモニタやプリンタ等に出力する。判定部４３５は、差分がゼロの区分に属さなければ、差分が属する区分が示す劣化又は故障レベルの情報をメンテナンス員のモニタやプリンタ等に出力する。
【００３０】
以上のように、本実施形態の太陽光発電システム１が備える日射計装置３は、太陽光発電モジュール２の近傍に設置され、日射計３１と透光板３２を備えるようにした。透光板３２は、太陽光発電モジュール２の表面に設置される透光板２２と近似した透光性を有し、日射計３１に覆い被さって配置される。
【００３１】
これにより、日射計装置３には、太陽光発電モジュール２と同じように堆積物５が積もり、セル２１と同じように日射計３１の受光を阻害する。つまり、日射計装置３が出力する日射量情報Ｄ１０は、セル２１の受光する実際の日射量に近似する。そのため、太陽光発電モジュール２の実際の発電量と日射計の日射量を基に計算した発電量を比較する劣化又は故障の判定方法が高精度化し、判定の信頼性が向上する。
【００３２】
更に、太陽光発電モジュール２と同じ向き、同じ高さ及び同じ傾斜で日射計３１と透光板３２を支持する架台３４を更に備えるようにした。これにより、太陽光発電モジュール２をより正確に模擬することができる。模擬の程度が高度化するほど、セル２１が受光する日射量を日射計装置３が正確に計測でき、判定方法の高精度化と其れに伴う判定の信頼性向上をもたらす。
【００３３】
尚、この太陽光発電システム１では、太陽光発電モジュール２の発電量から日射量情報Ｄ２１を算出するに際して、日射量に応じたＩ−Ｖ（電流−電圧）特性を記憶し、特性ごとの最大電力と発電量とを照合して日射量を決定するようにしてもよい。また、比較に際しては、日射量情報Ｄ１０と発電量情報Ｄ２０の何れか一方の物理量に統一すればよく、日射計装置３の日射量情報Ｄ１０から太陽光発電モジュール２の性能諸元情報を用いて発電量情報Ｄ２０を算出するようにしてもよい。
【００３４】
更に、解析装置４は、電力計４１に代えて、電流計を備え、太陽光発電モジュール２が出力する電流値を日射量に換算し、又は日射計装置３の日射量情報Ｄ１０に基づき、太陽光発電モジュール２が其の日射量情報Ｄ１０の日射量を受光していると仮定して出力電流に換算するようにしてもよい。すなわち、太陽光発電モジュール２が出力する電気に関する各種物理量を利用することができる。
【００３５】
（第２の実施形態）
第２の実施形態に係る太陽光発電システム１を説明する。まず、太陽光発電モジュール２に積もった堆積物５は、雨風により透光板２２の表面を流下し、自重により流下し、又は雪解けにより流下し、下枠２３付近に溜まることがある。セル２１が直列接続されてなるサブストリングは、堆積物５で最も遮蔽されたセル２１によって電流が規制される。すなわち、太陽光発電モジュール２全体の発電量は、堆積物５で最も遮蔽されたセル２１への日射量によって決定される。
【００３６】
図８は、第２の実施形態に係る太陽光発電システム１の日射計装置３の構成を示す模式図である。そこで、この日射計装置３は、透光板３２の下縁をコの字状の下枠３３で挟み込み、日射計３１は下枠３３側に寄せて透光板３２の直下に配置される。下枠３３の延びと直交する透光板３２の長さは、太陽光発電モジュール２の透光板２２と概略同長とする。
【００３７】
日射計装置３の透光板３２に下枠３３を嵌め込み、透光板３２の長さを太陽光発電モジュール２の透光板２２と同じとすると、日射計装置３の堆積物５は、雨風等で流されて太陽光発電モジュール２の下枠３３付近に溜まる堆積物５と同量、同分布に近づく。そして、日射計３１は、最も堆積物５が積もった箇所の直下に存在するセル２１と同条件で受光を遮蔽され、このセル２１が受光する日射量を計測することになる。すなわち、太陽光発電モジュール２全体の発電量を決定する日射量を計測することができる。
【００３８】
この日射計装置３が計測した日射量情報Ｄ１０と実際日射量情報Ｄ３１とを比較することで、太陽光発電モジュール２の下枠３３付近に堆積した堆積物５によって遮蔽され、太陽光発電モジュール２全体の発電量を決定付けるセル２１直上の堆積物５の量が特定可能となる。また、この日射計装置３が計測した日射量情報Ｄ１０と、太陽光発電モジュール２の発電量情報Ｄ２０と性能諸元情報から算出した日射量情報Ｄ２１とを比較することで、太陽光発電モジュール２の劣化又は故障の進行度合いが特定可能となる。
【００３９】
尚、日射量が最も少ないセル２１の電流に全てのセル２１の電流が規制される太陽光発電モジュール２以外にも、電流が規制されたサブストリングと他のサブストリングの直列接続をバイパスダイオードで切り離し、他のサブストリングのセル２１に電流制限が及ばないように構成する太陽光発電モジュール２を採用可能であることはもちろんである。この太陽光発電モジュール２を備える場合、この駆動態様を加味して日射量情報Ｄ２１を計算すればよい。すなわち、太陽光発電モジュール２の構成を加味して日射量情報Ｄ２１を計算すればよい。
【００４０】
（第３の実施形態）
図９は、第３の実施形態に係る太陽光発電システム１の日射計装置３の構成を示す模式図である。この日射計装置３は、２機の日射計３１ａ、３１ｂを備え、第１の日射計３１ａは透光板３２で被覆され、第２の日射計３１ｂには被覆物はなく、透光板３２から外れて露出している。言い換えると、第２の日射計３１ｂは、透光板３２により覆い被せられないように配置されている。第２の日射計３１ｂは、実際の日射量を計測して、実際日射量情報Ｄ３１を出力する。第１の日射計３１ａと第２の日射計３１ｂは、同一日射条件となるように、直ぐ隣に設置される。
【００４１】
この太陽光発電システム１によれば、気象台の気象データＤ３０の受信を必要とせず、第２の日射計３１ｂの実際日射量情報Ｄ３１と第１の日射計３１ａの日射量情報Ｄ１０とを比較して、太陽光発電モジュール２への堆積物５の堆積を判別する。また、太陽光発電モジュール２が設置される局所地点の実際の日射量を利用するため、堆積物５の堆積判定精度を向上させることができる。
【００４２】
（第４の実施形態）
図１０は、第４の実施形態に係る太陽光発電システム１の日射計装置３の配置を示す模式図である。図１０に示すように、太陽光発電モジュール２は、モジュール傾斜方向に複数段設置される。日射計装置３は、太陽光発電モジュール２ごとに設置され、架台３４で対応の太陽光発電モジュール２と同じ高さに設置される。
【００４３】
各日射計装置３は、対応の太陽光発電モジュール２の劣化又は故障の判定及び堆積物５の判定のために日射量情報Ｄ１０を出力する。解析装置４では、対応の太陽光発電モジュール２の発電量情報Ｄ２０に基づく日射量情報Ｄ２１と日射計装置３の日射量情報Ｄ１０とが比較される。この太陽光発電モジュール２によれば、各段の太陽光発電モジュール２の劣化又は故障の判定及び堆積物５の判定精度を高めることができる。
【００４４】
（第５の実施形態）
図１１は、第５の実施形態に係る太陽光発電システム１の日射計装置３の構成を示すブロック図である。この日射計装置３は、透光板３２を太陽側の面として一体形成された箱体３５を備える。日射計３１は、箱体３５の中に設置されている。箱体３５の各面のうち、透光板３２以外の面は、遮光板で構成され、又は遮光塗料で塗装された遮光面３５１である。箱体３５の一対の対向側面は、開口３５２を有している。
【００４５】
この日射計装置３によれば、日射計３１は箱体３５によって囲まれているので、土埃が巻き上げられる等して透光板３２と日射計３１との間に入り込み、日射計３１の受光部に堆積する虞を低減できる。透光板３２以外を遮光面３５１とすることにより、日射計３１に直接受光されずに箱体３５に入射した太陽光が箱体３５内で反射して外乱光として日射計３１に受光されることを抑制できる。また、地面で反射した外乱光が箱体３５に入射して日射計３１に受光されることを抑制できる。
【００４６】
この日射計装置３は太陽光発電モジュール２のセル２１と同じように太陽光を受光でき、劣化又は故障の判定精度及び堆積物５の判定精度を向上させることができる。また、一対の対向側面に開口３５２を形成することにより、箱体３５内の通気性が高まり、箱体３５内の温度上昇を抑制し、日射計３１の温度特性による日射量測定の誤差を低減できる。
【００４７】
尚、箱体３５で日射計３１を囲むほか、日射計３１と透光板３２との間を太陽光発電モジュール２と同じようにＥＶＡ等の透光性を有する充填材２５で封止するようにしてもよい。この充填材２５により、日射計３１に土埃等が到達することを防止できる。
【００４８】
（第６の実施形態）
図１２は、第６の実施形態に係る太陽光発電システム１の日射計装置３の構成を示す模式図である。この日射計装置３は、日射計３１を箱体３５に収容して構成される。箱体３５は、環状チューブ形状を有し、一部が地中３５３に埋設されている。この箱体３５の内部は、外気と遮断されるため、日射計３１に土埃等が付着する虞がない。また一部を地中３５３に埋設することによって、地中３５３で冷却された空気が箱体３５内を循環する。そのため、箱体３５が密閉されていても、箱体３５内の温度上昇を抑制し、日射計３１の温度特性による日射量測定の誤差を低減できる。
【００４９】
（第７の実施形態）
図１３は、第７の実施形態に係る太陽光発電システム１の日射計装置３の構成を示す模式図である。この日射計装置３は、ＨＤＤ等で構成されたログ記憶装置４３７を備える。ログ記憶装置４３７は、日射計装置３及び太陽光発電モジュール２の日射量情報Ｄ１０と発電量情報Ｄ２０を受信した時刻情報と関連付けて記憶しておく。この日射量情報Ｄ１０と発電量情報Ｄ２０のログを解析することで、太陽光発電モジュール２の設置箇所における堆積物５の時期的な特性を見出し、堆積物５が堆積する原因を追究したり、太陽光発電モジュール２内のホットスポットを検出することができる。
【００５０】
（その他の実施の形態）
本明細書においては、本発明に係る複数の実施形態を説明したが、これらの実施形態は例として提示したものであって、発明の範囲を限定することを意図していない。具体的には、第１から第７の実施形態を各種組み合わせで組み合わせたものも包含される。以上のような実施形態は、その他の様々な形態で実施されることが可能であり、発明の範囲を逸脱しない範囲で、種々の省略や置き換え、変更を行うことができる。これらの実施形態やその変形は、発明の範囲や要旨に含まれると同様に、特許請求の範囲に記載された発明とその均等の範囲に含まれるものである。
【符号の説明】
【００５１】
１  太陽光発電システム
２  太陽光発電モジュール
２１  セル
２２  透光板
２３  下枠
２４  バックシート
２５  充填材
２６  架台
３  日射計装置
３１  日射計
３１ａ  第１の日射計
３１ｂ  第２の日射計
３２  透光板
３３  下枠
３４  架台
３５  箱体
３５１  遮光面
３５２  開口
３５３  地中
４  解析装置
４１  電力計
４２  ネットワーク接続機器
４３  コンピュータ
４３１  気象データ受信部
４３２  換算部
４３３  堆積判定用比較部
４３４  劣化判定用比較部
４３５  判定部
４３６  実際日射量計算部
４３７  ログ記憶装置
５  堆積物
Ｄ１０  日射量情報
Ｄ２０  発電量情報
Ｄ２１  日射量情報
Ｄ３０  気象データ
Ｄ３１  実際日射量情報
Ｎ１  ネットワーク
Ｎ２  インターネット網
【図１】
2016118521.tif 000003
【図２】
2016118521.tif 000004
【図３】
2016118521.tif 000005
【図４】
2016118521.tif 000006
【図５】
2016118521.tif 000007
【図６】
2016118521.tif 000008
【図７】
2016118521.tif 000009
【図８】
2016118521.tif 000010
【図９】
2016118521.tif 000011
【図１０】
2016118521.tif 000012
【図１１】
2016118521.tif 000013
【図１２】
2016118521.tif 000014
【図１３】
2016118521.tif 000015